(57)【要約】【課    題】木質系扉において内部に配線用通路を形成した中実木質系扉体を提供すること。【解決手段】扉用の電気錠などの電気式又は電子式機器の取付穴２，３を形成した扉主材１の裏面又は表面に前記機器に接続される配線用の溝４，５を形成し、当該扉主材１の裏面又は表面に前記溝４，５を覆う裏面材７又は表面材を積層固定したこと。【選択図】    図８
2004229939.tif 000002
【特許請求の範囲】
【請求項１】
扉用の電気錠などの電気式又は電子式機器の取付穴を形成した扉主材の裏面又は表面に前記機器に接続される配線用の溝を形成し、当該扉主材の裏面又は表面に前記溝を覆う裏面材又は表面材を積層固定したことを特徴とする厚み内部に配線用通路を具備した家具等用の扉体。
【請求項２】
扉主材又は扉主材と表面材は、中実した木質系材料で形成した請求項１の厚み内部に配線用通路を具備した家具等用の扉体。
【請求項３】
機器取付用の穴を形成した扉主材に配線用の溝状スリットを形成し、当該扉主材の表面と裏面とにそれぞれ表面材と裏面材を積層固定したことを特徴とする厚み内部に配線用通路を具備した家具等用の扉体。
【請求項４】
少なくとも表面材と扉主材は、中実した木質系材料で形成した請求項３の厚み内部に配線用通路を具備した家具等用の扉体。
【請求項５】
裏面材は木質系材料、又は、非木質系材料により形成した請求項１〜４のいずれかの厚み内部に配線用通路を具備した家具等用の扉体。
【請求項６】
裏面材又は裏面材と表面材には、扉主材に形成した穴と同じ穴を形成した請求項１〜５のいずれかの厚み内部に配線用通路を具備した家具等用の扉体。
【発明の詳細な説明】
【０００１】
【発明の属する技術分野】
本発明はロッカー等の扉を有する家具、或は、建物などの出入口などに設けられる、特に木質系の扉に用いて有用な扉体に関する。
【０００２】
【従来の技術】
家具や家屋などの扉には、安全等のため鎖錠装置が設けられたものが多い。近時、この鎖錠装置に安全性を高めるため電気信号又は電子信号を利用した鎖錠装置（以下、電気式又は電子式の鎖錠装置を、本発明では単に「電気錠装置」という）が多く用いられるようになった。
【０００３】
このような電気錠装置を扉に取付けるには、その電源コードや信号用のコードを扉の内部に配線する必要があるが、この場合、扉体がスチール等の金属製扉である場合、配線用の通路を扉の厚み内に形成することは、通常、金属製扉の内部は中空に形成されているため、比較的容易に可能である。
【０００４】
しかし乍ら、扉が木質系であると、その扉の内部が中空（いわゆるタイコ）であっても、扉の厚さと強度を確保するため格子状に木製の棧部材などによる骨組部材が配置されている関係上、その中に配線用の通路を形成するには、前記棧部材に穴や切欠きを設けるという前加工が不可欠ではあるが、配線通路が全く形成できない訳ではない。
【０００５】
ところが、木質系の扉において、その扉体がいわゆるＭＤＦ材やムク材で形成されたものであると、その扉の厚み内に配線用の通路を形成することは、事実上不可能であった。
【０００６】
【発明が解決しようとする課題】
本発明は上記の厚みの内部が充実した木質系扉において内部に配線用通路を形成した中実木質系扉体を提供することをその課題とするものである。
【０００７】
【課題を解決するための手段】
上記課題を解決することを目的としてなされた本発明扉体の構成は、扉用の電気錠などの電気式又は電子式機器の取付穴を形成した扉主材の裏面又は表面に前記機器に接続される配線用の溝を形成し、当該扉主材の裏面又は表面に前記溝を覆う裏面材又は表面材を積層固定したことを特徴とするものである。
【０００８】
本発明扉体は、前記機器取付用の穴を形成した扉主材に配線用の溝状スリットを形成し、当該扉主材の表，裏面に表面材と裏面材を積層固定した構成としたものもある。
【０００９】
上記の本発明扉体における裏面材と表面材には、扉主材に形成した穴と同じ穴を形成する。
【００１０】
【発明の実施の形態】
次に、本発明扉体の実施の形態例について、図により説明する。図１は本発明扉体の一例を構成する扉主材の表側を見た正面図、図２は図１の扉主材の裏面図、図３は図２のＡ−Ａ′矢視図、図４は図２のＢ−Ｂ′矢視図、図５は図２のＣ−Ｃ′矢視図、図６は図１，図２の扉主材の裏面に貼着により積層される裏面材をその表側から見た正面図、図７は図６の裏面材を裏面側（扉主材の裏面と対面して貼着される側）から見た裏面図、図８は図１〜図７により説明した扉主材と裏面材により形成した木質系扉体の一例の斜視図、図９は本発明扉体を三層構造とした例における裏面材，扉主材，表面材を積層する前の状態で並べた斜視図である。
【００１１】
まず、図１〜図５において、１は本発明扉体の一例を構成する扉主材で、図示した例は１人用ロッカーの木質系扉を形成するために例えばムクの木板やいわゆるＭＤＦ材などによる中実の木質系材料により縦長の長方形に形成されている。
【００１２】
図に例示した上記の扉主材１には、その高さ方向の中間より少し上に、例えばテンキーボード等を操作部とする電気式又は電子式錠前（シリンダ錠など、図示せず）の操作部である施，解錠装置を設置するため、正方形に近い長方形の角穴２が、この主材１の表面１ａと裏面１ｂを貫通して形成されている。図１における中間高さの左側（図２では右側）には、上記錠前を取付けるため小さ目の丸穴３が貫通して設けられている。
【００１３】
上記の角穴２と丸穴３を設けた扉主材１の裏面１ｂ（図２参照）には、前記角穴２に通じる配線用の２本の溝４，５が、一方の溝４は上方へ向けて、他方の溝５は下方の丸穴３に向けて、例えば、木工用ルータなどにより形成されている。なお、６はこの扉主材１の裏面においてその左側の上下方向３箇所に形成したヒンジ取付用の円形の座ぐり部である。座ぐり部６の形状は円形以外のものもある。
【００１４】
図３〜図５は、上記扉主材１の表，裏面１ａ，１ｂにおける各穴２，３、溝４，５の設置状態を理解するための断面を示している。
【００１５】
本発明扉体を形成するため、上記のように形成された扉主材１の裏面１ｂには、この例では図６，図７に例示するこの扉用の裏面材７がその裏面７ｂにおいて貼着され、図８に例示する一枚の木質系扉体の一例が形成される。従って、裏面材７は扉主材１と同一形状に形成されていると共に、前記扉主材１の角穴２と丸穴３及び座ぐり部６に夫々に対応する部位に、同じ形状の角穴８と丸穴９及び３個のヒンジ用穴１０が形成されている。加えて、この裏面材７には、最上位のヒンジ用穴１０の斜め上方脇に溝４に通じる小孔１１が、また、丸穴９の横には溝５に通じる小さい角孔１２が形成されている。上記小孔１１は、外部から配線を導入するためのもの、また角孔１２は、角穴２に設けた操作部（テンキーボード等）の配線を電気式又は電子式錠前の端子（図示せず）に結線したり接続などするためのものである。
【００１６】
上記裏面材７に設けられるすべての穴と孔８〜１２は、いずれも当該裏面材７を貫通した形で設けられており、従って、図２の扉主材１の裏面１ｂに図７の裏面材７の裏面７ｂとを対面させて、接着剤などにより両材１，７とを貼着一体化することにより、溝４，５が厚み内に隠れた本発明扉体ＤＰ（図８参照）の一例が形成される。なお、上記裏面材７は木質系の板材、或は、非木質系材料、例えばプラスチック板や金属板などであってもよい。
【００１７】
上記のようにして形成された図８の本発明扉体ＤＰは、その表側の姿が図１に示す扉主材１と同一形態を呈し、また裏側の姿は図６に示す裏面材７と同一形態を呈するので、配線用の溝４，５はこの扉体ＤＰの表，裏いずれの側からも見えない。
【００１８】
従って、図８に例示した本発明扉体ＤＰは、その角穴２（８）にテンキーボードのような操作部を装着すると共に、丸穴３（９）に電気式シリンダ錠のような錠前を取付けるに当たっては、ヒンジ取付用の座ぐり部６（１０）に取付けられたヒンジ（図示せず）においてこの扉体ＤＰを、ロッカー本体（図示せず）に取付ける。そして、上記小孔１１から外部の電源用配線（図示せず）などを溝４を通して角穴２（８）の部分に引き出す。また、テンキーボード等による操作部（図示せず）と錠前を接続するための配線は、溝５を通して角孔１２から引出して当該錠前の所定部位に接続する。
【００１９】
小孔１１から角穴２（８）の部分に溝４を通して引出された配線をテンキーボード等の操作部に接続して当該操作部を角穴２（８）に装着すると共に、この操作部からの配線を溝５を通して錠前に接続し、この錠前を丸穴３（９）に装着することにより、配線がほぼ全く見えない状態で、木質系扉に電気式又は電子式の錠前とその操作部とを取付けることが可能になる。よって本発明扉体は配線が扉の表裏いずれの外面からも見えないので至って見映えの良好な外観を実現することができる。
【００２０】
上記のような効果が得られる本発明扉体は、図示しないが、扉主材１の表面１ａに溝４，５を形成し、この扉主材１の表面１ａに、前記裏面材７と同じように穴８，９を設けた表面材（図示せず）を貼着等により積層する構成としても得られる。この場合の本発明扉体において、扉主材１には木質系の中実材のほか、プラスチック系の中実材を用いることが可能となる。前記表面材を木質系材料で形成することにより、その扉体は、外見上、木質系に見えるからである。また、上記の各扉体の別例として図９に示すような構成を採ることもできるので、以下に説明する。
【００２１】
図９の本発明扉体ＤＰ′は、中間に位置する扉主材１を、表面材１３と裏面材７とにより挟んで互を貼着積層した形態のサンドイッチ構造である。図９の例では、図１〜図５の例で扉主材１に形成された溝４，５と座ぐり部６が、いずれも貫通した溝状スリット４′，５′、座ぐり穴６′に形成された点が、図１〜図５の扉主材１の構成と異なる。従って、表面材１３の角穴２丸穴３とが、図１〜図５の例の扉主材１の表側の形態と同一に形成される。
【００２２】
図９の積層構造を採る本発明扉体ＤＰ′も出来上りは図１〜図８により説明した扉体ＤＰと見かけ上は同一である。
【００２３】
本発明扉体ＤＰ，ＤＰ′における扉主材１は、通常、木質系材料により形成するが表面材１３と裏面材７は、木質系材料のほか、プラスチック系材料や金属系材料を使用することもできる。また、表面材に木質系材料を使用する場合には、扉主材１も前記の非木質系の中実材を用いることができる。更に、本発明扉体は、家具用の木質系扉のみならず、建物用の木質系扉や間仕切用の木質系扉など、様々な対象物の木質系扉にも適用できること勿論である。
【００２４】
【発明の効果】
本発明は以上の通りであって、内部が充実した木質系扉に配線用通路を形成するため、外部からはその扉体の構造を、配線がほぼ全く見えない状態で、木質系扉に電気式又は電子式の錠前とその操作部とを取付けることが可能になるという、従来の中実木質系扉では得られない固有の効果がある。
【図面の簡単な説明】
【図１】本発明扉体の一例を構成する扉主材の表側を見た正面図
【図２】図１の扉主材の裏面図
【図３】図２のＡ−Ａ′矢視図
【図４】図２のＢ−Ｂ′矢視図
【図５】図２のＣ−Ｃ′矢視図
【図６】図１，図２の扉主材の裏面に貼着により積層される裏面材をその表側から見た正面図
【図７】図６の裏面材を裏面側（扉主材の裏面と対面して貼着される側）から見た裏面図
【図８】図１，図２の扉主材の裏面に、図６，図７の裏面材を貼着した本発明扉体の一例の斜視図
【図９】本発明扉体を三層構造とした例における裏面材，扉主材，表面材を積層する前の状態で並べた斜視図
【符号の説明】
１        扉主材
２        角穴
３        丸穴
４，５    溝
６        座ぐり部
７        裏面材
８        裏面材の角穴
９        裏面材の丸穴
１０        裏面材のヒンジ用穴
１１        小孔
１２        角孔
【図１】
2004229939.tif 000003
【図２】
2004229939.tif 000004
【図３】
2004229939.tif 000005
【図４】
2004229939.tif 000006
【図５】
2004229939.tif 000007
【図６】
2004229939.tif 000008
【図７】
2004229939.tif 000009
【図８】
2004229939.tif 000010
【図９】
2004229939.tif 000011